(57)【要約】【課題】簡単な操作で読影に必要な画像をモニタ表示すること。【解決手段】Ｘ線画像データを表示するモニタ表示画面２ａに画像拡大指示部材１０を対峙させ、モニタ表示画面２ａと画像拡大指示部材１０との対峙間隔Ｌを可変することにより癌等の病巣Ｇの画像の拡大率を可変してモニタ表示画面２ａに拡大表示する。【選択図】      図１
2008043588.tif 000002
【特許請求の範囲】
【請求項１】
被検体の画像データを表示する表示画面を有する表示装置と、
前記表示画面上に表示されている前記被検体の画像を拡大表示するときに前記表示画面上の前記被検体の画像に対峙させる画像拡大指示部材と、
少なくとも前記表示画面と前記画像拡大指示部材との対峙間隔を検出する位置検出部と、
前記位置検出部により検出された前記対峙間隔に応じて前記表示画面上に表示されている前記画像データを拡大表示する表示制御部と、
を具備することを特徴とする画像表示装置。
【請求項２】
前記画像拡大指示部材は、環状の枠と、この枠に設けられた棒状の把持部とから成ることを特徴とする請求項１記載の画像表示装置。
【請求項３】
前記位置検出部は、前記表示画面の各隅部に設けられた複数の位置センサと、
これら位置センサの検出結果に基づいて前記対峙間隔と対峙位置を求める位置算出部と、
を有することを特徴とする請求項１記載の画像表示装置。
【請求項４】
前記表示制御部は、前記位置検出部により検出された前記対峙間隔に応じて前記画像データの拡大率を可変することを特徴とする請求項１記載の画像表示装置。
【請求項５】
前記表示制御部は、前記対峙間隔が狭くなるに従って前記画像データの拡大率を小さくし、前記対峙間隔が広くなるに従って前記画像データの前記拡大率を大きくすることを特徴とする請求項４記載の画像表示装置。
【請求項６】
前記表示制御部は、前記対峙位置に基づいて前記画像拡大指示部材に対峙する画像部位の画像データの拡大率を可変することを特徴とする請求項３記載の画像表示装置。
【請求項７】
前記画像拡大指示部材は、前記画像データの拡大率の可変を許可する拡大率変更モード指示部を有することを特徴とする請求項４記載の画像表示装置。
【請求項８】
前記被検体の前記画像データは、前記被検体の複数の断層像データを有し、
前記画像拡大指示部材は、サイクリック表示モードのモード指示部を有し、
前記表示制御部は、前記モード指示部に対する操作により前記サイクリック表示モードに設定されると、前記複数の断層像データを前記表示装置にサイクリック表示する、
ことを特徴とする請求項１記載の画像表示装置。
【請求項９】
前記サイクリック表示モードに設定中、前記表示制御部は、前記対峙間隔が広くなるに従って前記被検体の一方の断層方向に向かって前記複数の断層像データをサイクリック表示し、前記対峙間隔が狭くなるに従って前記一方の断面方向に対して逆方向となる他方の断層方向に向かって前記複数の断層像データをサイクリック表示する、
ことを特徴とする請求項８記載の画像表示装置。
【請求項１０】
前記モード指示部は、一方向にサイクリック表示させる第１のモード選択部と、前記一方向に対して逆方向となる他方にサイクリック表示させる第２のモード選択部とを有し、
前記表示制御部は、前記第１のモード選択部が操作されると、前記被検体の一方の断層方向に向かって前記複数の断層像データをサイクリック表示し、前記第２のモード選択部が操作されると、前記一方の断層方向に対して逆方向となる他方の断層方向に向かって前記複数の断層像データをサイクリック表示する、
ことを特徴とする請求項８記載の画像表示装置。
【請求項１１】
前記画像データのウィンドウ幅、ウィンドウレベルをそれぞれ変更する複数の選択端部を有し、
前記表示制御部は、操作された前記選択端部に対応する前記ウィンドウ幅、前記ウィンドウレベルで前記画像データを前記表示装置に表示する、
ことを特徴とする請求項１記載の画像表示装置。
【請求項１２】
前記各選択端部は、グレイレベルが大きい部分を表示するための第１の選択端部と、グレイレベルが小さい部分を表示するための第２の選択端部と、前記画像データの全体を表示するための第３の選択端部とを有することを特徴とする請求項１１記載の画像表示装置。
【請求項１３】
前記選択端部に対応する前記ウィンドウ幅、前記ウィンドウレベルで前記画像データを表示している前記表示装置の前記表示画面上で特定の画像部位を指示すると、前記表示制御部は、前記特定の画像部位の周囲に合せた前記ウィンドウ幅、前記ウィンドウレベルで前記特定の画像部位の画像データを前記表示装置に表示する、
ことを特徴とする請求項１１記載の画像表示装置。
【請求項１４】
前記画像データを表示している前記表示画面上で少なくとも２点の画像部位を選択する画像選択部を有し、
前記表示制御部は、前記画像選択部により選択された前記少なくとも２点の画像部位の濃度に合せた濃度範囲で前記画像データを前記表示画面上に表示する、
ことを特徴とする請求項１記載の画像表示装置。
【請求項１５】
前記画像データを表示している前記表示画面上で特定部位を指示すると、
前記表示制御部は、前記指示された前記特定部位の周囲に合せた濃度で前記画像データを前記表示装置に表示する、
ことを特徴とする請求項１４記載の画像表示装置。
【発明の詳細な説明】
【技術分野】
【０００１】
本発明は、例えば被検体のモニタ診断に適用され、被検体の画像データを拡大処理、ウィンドウ処理等する画像表示装置に関する。
【背景技術】
【０００２】
患者等の被検体のモニタ診断時には、被検体のＸ線画像を画像表示装置のモニタに表示する。この画像表示装置は、被検体のＸ線画像を拡大処理したり、ウィンドウ処理することが可能である。拡大処理方法は、モニタ画面上において、拡大したい画像部位上にポインタを例えばマウスの操作で移動させ、かつ画像の拡大率を指定する。これにより、ポインタに合わされた画像部位が指定された拡大率で表示される。
【０００３】
ウィンドウ処理するときは、ウィンドウ幅（ＷＷ）及びウィンドウレベル（ＷＬ）を入力したり、スライドバーを調整したり、マウスを操作したりする。ここで、検出器の出力グレイレベルのうち画像処理をかける範囲をウィンドウ幅（ＷＷ）と称し、このウィンドウ幅（ＷＷ）の中心値をウィンドウレベル（ＷＬ）と称する。
【０００４】
例えば乳房Ｘ線診断装置は、被検体を透過したＸ線をフィルムに描出する方式と、被検体を透過したＸ線をＸ線検出器で検出し、このＸ線検出器の出力信号を画像処理してＸ線画像データを取得するデジタル方式とがある。被検体の診断を行う場合、フィルムを用いた診断では、医師等のオペレータは、例えばフィルムに描出された画像を読影する。この読影時、オペレータは、例えばルーペを用いてフィルムに描出された画像の特定部位を拡大し、この特定部位に対する診断を行っている。
【０００５】
一方、デジタル方式の装置により取得されたＸ線画像データをモニタに表示して読影するモニタ診断の場合も、モニタに表示されたＸ線画像の特定部位を拡大して診断したい場合がある。ところが、モニタの表示能力は、１枚のフィルムの表示能力よりも小さい。換言すれば、モニタに表示されているＸ線画像の情報量は、１枚のフィルムに描出されている画像の情報量よりも少ない。
【０００６】
このため、モニタに表示されたＸ線画像で診断する場合、フィルム診断時と同様の診断能力とするためには、Ｘ線画像の拡大処理又はウィンドウ処理をしながら読影しなければならない。しかしながら、拡大処理では、モニタ画面上において、拡大したい画像部位上にポインタを例えばマウスの操作で移動させ、かつ画像の拡大率を指定したり、一方、ウィンドウ処理では、例えばウィンドウ幅（ＷＷ）及びウィンドウレベル（ＷＬ）等を入力する操作を行わなければならない。このため、拡大処理時又はウィンドウ処理時の操作が煩雑で、その操作に時間が掛かる。医師等のオペレータによっては、拡大処理時又はウィンドウ処理時の操作を行わず、モニタに表示されたＸ線画像をそのまま読影している。
【発明の開示】
【発明が解決しようとする課題】
【０００７】
本発明の目的は、簡単な操作で読影に必要な画像をモニタ表示できる画像表示装置を提供することにある。
【課題を解決するための手段】
【０００８】
請求項１に係わる本発明の画像表示装置は、被検体の画像データを表示する表示画面を有する表示装置と、表示画面上に表示されている被検体の画像を拡大表示するときに表示画面上の被検体の画像に対峙させる画像拡大指示部材と、少なくとも表示画面と画像拡大指示部材との対峙間隔を検出する位置検出部と、位置検出部により検出された対峙間隔に応じて表示画面上に表示されている画像データを拡大表示する表示制御部とを具備する。
【発明の効果】
【０００９】
本発明によれば、簡単な操作で読影に必要な画像をモニタ表示できる画像表示装置を提供できる。
【発明を実施するための最良の形態】
【００１０】
以下、本発明の第１の実施の形態について図面を参照して説明する。  
図１は画像表示装置のブロック構成図を示す。装置処理本体１には、モニタ装置２が接続されている。装置処理本体１は、例えば乳房Ｘ線診断装置３により撮影された被検体４としての乳房のＸ線画像データをモニタ装置２に表示する。この装置処理本体１は、コンピュータにより成る主制御部５に対して表示制御部６と、位置算出部７と、画像メモリ８と、通信回線９とを接続して成る。主制御部５は、表示制御部６と、位置算出部７と、画像メモリ８と、通信回線９とをそれぞれ動作制御する。通信回線９には、乳房Ｘ線診断装置３が接続されている。この通信回線９は、乳房Ｘ線診断装置３から伝送されるＸ線画像データを受信する。主制御部５は、通信回線９を通して受信したＸ線画像データを画像メモリ７に記憶する。
【００１１】
本装置は、画像拡大指示部材（画像拡大指示部品）１０を有する。この画像拡大指示部材１０は、ルーペの形状を模倣して形成されたもので、環状の枠１０ａと、この枠１０ａに設けられた棒状の把持部１０ｂとから形成される。この画像拡大指示部材１０は、医師等のオペレータによって把持部１０ｂが把持され、モニタ診断時に、環状の枠１０ａをモニタ装置２のモニタ表示画面２ａに対峙される。
【００１２】
モニタ装置２のモニタ表示画面２ａの四隅には、それぞれ各位置センサ１１−１〜１１−４が設けられている。これら位置センサ１１−１〜１１−４は、それぞれモニタ表示画面２ａに対峙される画像拡大指示部材１０のモニタ表示画面２ａとの対峙間隔を検出し、その検出信号を出力する。
【００１３】
位置算出部７は、各位置センサ１１−１〜１１−４から出力される各検出信号を入力し、これら検出信号に基づいてモニタ表示画面２ａと画像拡大指示部材１０との対峙間隔Ｌと、モニタ表示画面２ａに対する画像拡大指示部材１０の対峙位置とを求める。この位置算出部７は、例えば各位置センサ１１−１〜１１−４と画像拡大指示部材１０との各距離を求め、これら距離に基づいてモニタ表示画面２ａと画像拡大指示部材１０との対峙間隔Ｌを算出可能である。なお、各位置センサ１１−１〜１１−４及び位置算出部７は、ＧＰＳシステムを適用可能である。
【００１４】
表示制御部６は、位置算出部７により求められたモニタ表示画面２ａと画像拡大指示部材１０との対峙間隔Ｌに応じてＸ線画像データの拡大率を可変する。例えば、表示制御部６は、図２に示すように対峙間隔Ｌを狭くする、すなわち画像拡大指示部材１０をモニタ表示画面２ａに近づけるに従ってＸ線画像データの拡大率を小さくし、対峙間隔Ｌを広くする、すなわち画像拡大指示部材１０をモニタ表示画面２ａから遠ざけるに従ってＸ線画像データの拡大率を大きく可変する。この場合、表示制御部６は、対峙間隔Ｌに応じてＸ線画像データの拡大率を連続的に可変可能である。なお、表示制御部６によるＸ線画像データの拡大表示は、従来行われていた拡大処理やウィンドウ処理により取得される表示能力と同じ表示能力でＸ線画像データを拡大表示する。
【００１５】
表示制御部６は、位置算出部７により求められた画像拡大指示部材１０のモニタ表示画面２ａに対する対峙位置を受け取り、この対峙位置に基づいて画像拡大指示部材１０に対峙するモニタ表示画面２ａ上の画像部位、例えば医師等のオペレータが画像拡大指示部材１０の環状の枠１０ａを通して見る癌等の病巣Ｇのモニタ表示画面２ａ上の画像部位の画像データの拡大率を可変する。
【００１６】
次に、上記の如く構成された装置による画像表示の制御動作について説明する。  
表示制御部６は、画像メモリ８に記憶されているＸ線画像データを読み出し、モニタ装置２のモニタ表示画面２ａ上に表示する。医師等のオペレータは、モニタ表示画面２ａ上に表示されているＸ線画像データを読影する。この読影時、オペレータは、モニタ表示画面２ａ上に表示されているＸ線画像上から特待部位、例えば癌等の病巣Ｇの発症している部位を見つけると、この特定部位の画像を拡大表示して診断する。なお、乳房に生じる癌等の病巣Ｇは、乳頭を中心に発達する乳腺組織に生じる。
【００１７】
このモニタ診断時、画像拡大指示部材１０は、医師等のオペレータによって把持部１０ｂが把持され、環状の枠１０ａをモニタ装置２のモニタ表示画面２ａに対峙される。このとき、画像拡大指示部材１０は、環状の枠１０ａ内を通して癌等の病巣Ｇがオペレータによって見える位置にモニタ表示画面２ａに対して対峙される。
【００１８】
モニタ表示画面２ａの四隅の各位置センサ１１−１〜１１−４は、それぞれモニタ表示画面２ａに対峙している画像拡大指示部材１０とモニタ表示画面２ａとの対峙間隔Ｌを検出し、その検出信号を出力する。位置算出部７は、各位置センサ１１−１〜１１−４から出力される各検出信号を入力し、これら検出信号に基づいてモニタ表示画面２ａと画像拡大指示部材１０との対峙間隔Ｌと、モニタ表示画面２ａに対する画像拡大指示部材１０の対峙位置とを求める。
【００１９】
表示制御部６は、位置算出部７により求められた対峙間隔Ｌを受け取り、この対峙間隔ＬにＸ線画像データの拡大率を可変する。例えば、表示制御部６は、図２に示すように医師等のオペレータによって画像拡大指示部材１０をモニタ表示画面２ａから遠ざけると、画像拡大指示部材１０とモニタ表示画面２ａとの対峙間隔Ｌが広くなる。これにより、表示制御部６は、対峙間隔Ｌが広くなるに従ってＸ線画像データの拡大率を大きく可変する。
【００２０】
この場合、医師等のオペレータは、画像拡大指示部材１０の環状の枠１０ａを通してモニタ表示画面２ａ上に表示されている癌等の病巣Ｇの画像部位を診断する。表示制御部６は、位置算出部７により求められた画像拡大指示部材１０のモニタ表示画面２ａに対する対峙位置を受け取る。この対峙位置は、モニタ表示画面２ａ上に表示されている癌等の病巣Ｇの画像部位に対応する。従って、表示制御部６は、画像拡大指示部材１０のモニタ表示画面２ａに対する対峙位置に基づいて癌等の病巣Ｇの画像部位の画像データの拡大率を可変する。
【００２１】
一方、医師等のオペレータによって画像拡大指示部材１０をモニタ表示画面２ａに近付けると、画像拡大指示部材１０とモニタ表示画面２ａとの対峙間隔Ｌが狭くなる。これにより、表示制御部６は、対峙間隔Ｌが狭くなるに従ってＸ線画像データの拡大率を小さく可変する。この場合も表示制御部６は、画像拡大指示部材１０のモニタ表示画面２ａに対する対峙位置に基づいて例えば癌等の病巣Ｇの画像部位の画像データの拡大率を可変する。
【００２２】
この結果、図２に示すように画像拡大指示部材１０とモニタ表示画面２ａとの対峙間隔がＬ１であれば、表示制御部６は、例えば拡大率Ｎ１で拡大された癌等の病巣Ｇの画像部位をモニタ装置２に表示する。画像拡大指示部材１０とモニタ表示画面２ａとの対峙間隔が対峙間隔Ｌ１よりも長いＬ２（＞Ｌ１）であれば、表示制御部６は、例えば拡大率Ｎ１よりも大きい拡大率Ｎ２（＞Ｎ１）で拡大された癌等の病巣Ｇの画像部位をモニタ装置２に表示する。
【００２３】
このように上記第１の実施の形態によれば、Ｘ線画像データを表示するモニタ表示画面２ａに画像拡大指示部材１０を対峙させ、モニタ表示画面２ａと画像拡大指示部材１０との対峙間隔Ｌを可変することにより癌等の病巣Ｇの画像の拡大率を可変してモニタ表示画面２ａに拡大表示できる。これにより、医師等のオペレータは、Ｘ線画像の拡大処理やウィンドウ処理等の煩雑な操作を行わず、簡単な操作で読影に必要な例えば癌等の病巣Ｇの画像を拡大表示できる。従って、医師等のオペレータは、画像拡大指示部材１０をモニタ表示画面２ａに対峙されるだけで良いので、フィルム診断時にルーペを把持してフィルムに描出された画像の特定部位を拡大するのと同様な感覚でモニタ診断をすることができる。
【００２４】
次に、本発明の第２の実施の形態について図面を参照して説明する。なお、図１と同一部分には同一符号を付してその詳しい説明は省略する。  
図３は画像表示装置のブロック構成図を示す。乳房Ｘ線診断装置２０が通信回線９に接続されている。この乳房Ｘ線診断装置２０は、トモシンセンス撮影を行って被検体４の撮影を行って複数の断層像データ、すなわちトモシンセンス画像を取得する。通信回線９は、Ｘ線装置２０から伝送される複数の断層像データを受信する。主制御部５は、通信回線９を通して受信した複数の断層像データを画像メモリ７に記憶する。図４は複数の断層像データの模式図を示す。これら断層像データＤ１、Ｄ２、…、Ｄｎは、患者等の被検体４の例えば内臓の臓器を患者の正面Ｆ側と後側Ｂとの間で複数取得されている。
【００２５】
画像拡大指示部材１０には、拡大率変更モード指示スイッチ２１とサイクリック表示モード指示スイッチ２２とが設けられている。拡大率変更モード指示スイッチ２１は、断層像データを拡大表示するときの拡大率の可変を許可する拡大率変更モードの指示を送出する。サイクリック表示モード指示スイッチ２２は、複数の断層像データをサイクリックに表示するためのサイクリック表示モードの指示を送出する。
【００２６】
モード判定部２３は、拡大率変更モード指示スイッチ２１から送出された拡大率変更モードの指示又はサイクリック表示モード指示スイッチ２２からサイクリック表示モードの指示を入力し、拡大率変更モード又はサイクリック表示モードであるかのモード判定を行い、このモード判定の結果を表示制御部６に送る。
【００２７】
表示制御部６は、拡大率変更モードに設定中、図２に示すように対峙間隔Ｌが狭くなるに従って１スライスの断層像データの拡大率を連続的に小さくし、対峙間隔Ｌが広くなるに従って１スライスの断層像データの拡大率を連続的に大きく可変する。又、表示制御部６は、位置算出部７により求められた画像拡大指示部材１０のモニタ表示画面２ａに対する対峙位置を受け取り、この対峙位置に基づいて画像拡大指示部材１０に対峙するモニタ表示画面２ａ上の画像部位、例えば医師等のオペレータが画像拡大指示部材１０の環状の枠１０ａを通して見る断層像データの特定部位の画像データの拡大率を可変する。
【００２８】
表示制御部６は、サイクリック表示モードに設定中、画像メモリ８に記憶されている複数の断層像データをサイクリックにモニタ表示画面２ａに表示する。この場合、表示制御部６は、対峙間隔Ｌを広くするに従って、すなわち画像拡大指示部材１０をモニタ表示画面２ａから遠ざけるに従って被検体４の一方の断層方向、例えば図４に示すように被検体４の後側Ｂから正面Ｆ側に向かう方向で各断層像データＤｎ、…、Ｄ２、Ｄ１をサイクリック表示する。又、表示制御部６は、対峙間隔Ｌが狭くなるに従って、すなわち画像拡大指示部材１０をモニタ表示画面２ａに近付けるに従って被検体４の他方の断層方向、例えば図４に示すように被検体４の正面Ｆ側から後側Ｂに向かう方向で各断層像データＤ１、Ｄ２、…、Ｄｎをサイクリック表示する。
【００２９】
次に、上記の如く構成された装置による画像表示の制御動作について説明する。  
表示制御部６は、画像メモリ８に記憶されている複数の断層像データから１枚の断層像データを読み出し、モニタ装置２のモニタ表示画面２ａ上に表示する。医師等のオペレータは、モニタ表示画面２ａ上に表示されている断層像データを読影する。このとき、オペレータによって拡大率変更モード指示スイッチ２１が操作されると、モード判定部２３は、拡大率変更モード指示スイッチ２１から送出された拡大率変更モードの指示を入力し、拡大率変更モードに設定されたことを表示制御部６に送る。
【００３０】
拡大率変更モードに設定中、医師等のオペレータによって画像拡大指示部材１０をモニタ表示画面２ａから遠ざけると、画像拡大指示部材１０とモニタ表示画面２ａとの対峙間隔Ｌが広くなる。これにより、表示制御部６は、画像拡大指示部材１０とモニタ表示画面２ａとの対峙間隔Ｌが広くなるに従って断層像データの拡大率を大きく可変する。一方、画像拡大指示部材１０をモニタ表示画面２ａに近付けると、画像拡大指示部材１０とモニタ表示画面２ａとの対峙間隔Ｌが狭くなる。これにより、表示制御部６は、画像拡大指示部材１０とモニタ表示画面２ａとの対峙間隔Ｌが狭くなるに従って断層像データの拡大率を小さく可変する。
【００３１】
オペレータによってサイクリック表示モード指示スイッチ２２が操作されると、モード判定部２３は、サイクリック表示モード指示スイッチ２２から送出されたサイクリック表示モードの指示を入力し、サイクリック表示モードに設定されたことを表示制御部６に送る。  
サイクリック表示モードに設定中、医師等のオペレータによって画像拡大指示部材１０をモニタ表示画面２ａから遠ざけると、画像拡大指示部材１０がモニタ表示画面２ａから遠ざかるに従って表示制御部６は、例えば図４に示すように被検体４の後側Ｂから正面Ｆ側に向かう方向で各断層像データＤｎ、…、Ｄ２、Ｄ１をサイクリック表示する。
【００３２】
一方、医師等のオペレータによって画像拡大指示部材１０をモニタ表示画面２ａに近付けると、画像拡大指示部材１０がモニタ表示画面２ａに近付くに従って表示制御部６は、例えば図４に示すように被検体４の正面Ｆ側から後側Ｂに向かう方向で各断層像データＤ１、Ｄ２、…、Ｄｎをサイクリック表示する。
【００３３】
このように上記第２の実施の形態によれば、画像拡大指示部材１０をモニタ表示画面２ａから遠ざけたり、近付けたりすることにより被検体４の各断層像データＤｎ、…、Ｄ２、Ｄ１を被検体４の後側Ｂから正面Ｆ側に向かう方向で各断層像データＤｎ、…、Ｄ２、Ｄ１の順序でサイクリック表示したり、被検体４の正面Ｆ側から後側Ｂに向かう方向で各断層像データＤｎ、…、Ｄ２、Ｄ１の順序でサイクリック表示できる。これにより、上記第１の実施の形態と同様の効果を奏することができると共に、医師等のオペレータは、診断に必要な断層像データＤｎ、…、Ｄ２、Ｄ１のいずれかを短時間で表示できる。
【００３４】
次に、本発明の第３の実施の形態について図面を参照して説明する。なお、図１と同一部分には同一符号を付してその詳しい説明は省略する。  
図５は画像表示装置のブロック構成図を示す。装置処理本体１には、ウィンドウ選択部３０が設けられている。このウィンドウ選択部３０は、Ｘ線画像データに対するウィンドウ幅（ＷＷ）、ウィンドウレベル（ＷＬ）をそれぞれ変更する複数の選択端部、例えば第１〜第３の選択ボタン３１〜３３を設けている。第１の選択ボタン３１は、Ｘ線画像データのグレイレベルが大きい部分を表示するボタンである。第２の選択ボタン３２は、Ｘ線画像データのグレイレベルが小さい部分を表示するボタンである。第３の選択ボタン３３は、Ｘ線画像データの全体が見られるように表示するボタンである。
【００３５】
表示制御部６は、第１〜第３の選択ボタン３１〜３３のうち操作された第１、第２又は第３の選択ボタン３１、３２又は３３に対応するコントラストになるウィンドウ幅（ＷＷ）、ウィンドウレベル（ＷＬ）でＸ線画像データをモニタ装置２のモニタ表示画面２ａに表示する。この場合、表示制御部６は、操作された第１、第２又は第３の選択ボタン３１、３２又は３３に応じてウィンドウ幅（ＷＷ）、ウィンドウレベル（ＷＬ）を自動可変してモニタ表示画面２ａに表示する。
【００３６】
表示制御部６は、第１、第２又は第３の選択ボタン３１、３２又は３３に対応するコントラストでＸ線画像データを表示しているモニタ表示画面２ａ上で、特定の画像部位が指示されると、この特定の画像部位の周囲に合せたコントラストになるようにウィンドウ幅（ＷＷ）、ウィンドウレベル（ＷＬ）で特定の画像部位のＸ線画像データをモニタ表示画面２ａに表示する。この場合も特定の画像部位の周囲に合せてウィンドウ幅（ＷＷ）、ウィンドウレベル（ＷＬ）を自動可変し、ＣＴ値を濃淡のＸ線画像として表示するための濃度（グレイレベル）に変換してモニタ表示画面２ａに表示する。
【００３７】
次に、上記の如く構成された装置による画像表示の制御動作について説明する。  
表示制御部６は、画像メモリ８に記憶されているＸ線画像データを読み出し、モニタ装置２のモニタ表示画面２ａ上に表示する。医師等のオペレータは、モニタ表示画面２ａ上に表示されているＸ線画像データを読影する。
【００３８】
この読影時、オペレータによって例えば第３の選択ボタン３３が操作されると、表示制御部６は、第３の選択ボタン３３が操作されたことを判断し、第３の選択ボタン３３に対応するウィンドウ幅（ＷＷ）、ウィンドウレベル（ＷＬ）、すなわち画像全体が見れるようなウィンドウ幅（ＷＷ）、ウィンドウレベル（ＷＬ）でＸ線画像データをモニタ装置２のモニタ表示画面２ａに表示する。図６は画像全体を見ることができるウィンドウ幅（ＷＷ）、ウィンドウレベル（ＷＬ）で表示されているＸ線画像データの一例の模式図を示す。このＸ線画像であれば、例えば乳房４の輪郭及び乳頭を中心に発達する乳腺組織４ａが薄く映し出される。
【００３９】
次に、オペレータによって例えば第１の選択ボタン３１が操作されると、表示制御部６は、第１の選択ボタン３１が操作されたことを判断し、第１の選択ボタン３１に対応するウィンドウ幅（ＷＷ）、ウィンドウレベル（ＷＬ）、すなわちグレイレベルの大きい部分を表示するウィンドウ幅（ＷＷ）、ウィンドウレベル（ＷＬ）でＸ線画像データをモニタ装置２のモニタ表示画面２ａに表示する。図８はグレイレベルが大きい部分を表示しているＸ線画像データの一例の模式図を示す。このＸ線画像であれば、例えば乳房４の輪郭が白色でコントラスト高く映し出される。
【００４０】
次に、オペレータによって例えば第２の選択ボタン３２が操作されると、表示制御部６は、第２の選択ボタン３２が操作されたことを判断し、第２の選択ボタン３２に対応するウィンドウ幅（ＷＷ）、ウィンドウレベル（ＷＬ）、すなわちグレイレベルが小さい部分を表示するウィンドウ幅（ＷＷ）、ウィンドウレベル（ＷＬ）でＸ線画像データをモニタ装置２のモニタ表示画面２ａに表示する。図７はグレイレベルが小さい部分を表示しているＸ線画像データの一例の模式図を示す。白となるコントラストのＸ線画像であれば、例えば乳頭を中心に発達する乳腺組織４ａが明瞭に映し出される。
【００４１】
このように第１、第２又は第３の選択ボタン３１、３２又は３３に対応するウィンドウ幅（ＷＷ）、ウィンドウレベル（ＷＬ）でＸ線画像データを表示している状態で、モニタ表示画面２ａ上で、特定の画像部位、例えば癌等の病巣Ｇの画像部位が指示されると、表示制御部６は、癌等の病巣Ｇ等の特定の画像部位の周囲に合せたコントラストで特定の画像部位のＸ線画像データをモニタ表示画面２ａに表示する。
【００４２】
このように上記第３の実施の形態によれば、Ｘ線画像データのグレイレベルが大きい部分を表示する第１の選択ボタン３１と、Ｘ線画像データのグレイレベルが小さい部分を表示する第２の選択ボタン３２と、Ｘ線画像データの全体が見られるように表示する第３の選択ボタン３３とを設け、第１、第２又は第３の選択ボタン３１、３２又は３３に対応するウィンドウ幅（ＷＷ）、ウィンドウレベル（ＷＬ）でＸ線画像データを表示する。これにより、上記第１の実施の形態の効果に加えて、医師等のオペレータは、第１、第２又は第３の選択ボタン３１、３２又は３３を操作するだけの簡単な操作でＸ線画像データの例えば黒い部分、白い部分、全体を表示できる。
【００４３】
次に、本発明の第４の実施の形態について図面を参照して説明する。なお、図１と同一部分には同一符号を付してその詳しい説明は省略する。  
図９は画像表示装置のブロック構成図を示す。装置処理本体１には、画像選択部４０が設けられている。この画像選択部４０には、例えばマウス４１が設けられている。この画像選択部４０は、Ｘ線画像データを表示しているモニタ表示画面２ａ上で、マウス４１の操作を受けて例えば２点の画像部位を選択する。
【００４４】
表示制御部６は、画像選択部４０により選択された例えば２点の画像部位の濃度に合せた濃度範囲でＸ線画像データをモニタ表示画面２ａに表示する。この場合、表示制御部６は、例えば２点の画像部位の濃度に合せてウィンドウ幅（ＷＷ）、ウィンドウレベル（ＷＬ）を自動可変してＸ線画像データをモニタ表示画面２ａに表示する。
【００４５】
表示制御部６は、モニタ表示画面２ａにＸ線画像データを表示している状態で、モニタ表示画面２ａ上で、特定の画像部位、例えば癌等の病巣Ｇの画像部位が指示されると、癌等の病巣Ｇ等の特定の画像部位の周囲に合せたウィンドウ幅（ＷＷ）、ウィンドウレベル（ＷＬ）で特定の画像部位のＸ線画像データをモニタ表示画面２ａに表示する。
【００４６】
次に、上記の如く構成された装置による画像表示の制御動作について説明する。  
表示制御部６は、画像メモリ８に記憶されているＸ線画像データを読み出し、モニタ装置２のモニタ表示画面２ａ上に表示する。医師等のオペレータは、モニタ表示画面２ａ上に表示されているＸ線画像データを読影する。
【００４７】
この読影時、オペレータによってマウス４１が操作され、例えば図１０に示すようにモニタ表示画面２ａ上に表示されているＸ線画像上において、例えば２点Ｐ１、Ｐ２の画像部位が選択される。点Ｐ１は、乳房４の表面付近である。点Ｐ２は、乳腺組織４ａ上である。
【００４８】
表示制御部６は、画像選択部４０により選択された例えば２点Ｐ１、Ｐ２の画像部位の濃度に合せた濃度範囲でウィンドウ処理を行い、このウィンドウ処理されたＸ線画像データをモニタ表示画面２ａに表示する。図１１は２点Ｐ１、Ｐ２の画像部位の濃度に合せた濃度範囲でウィンドウ処理されたＸ線画像データの模式図を示す。このＸ線画像データは、２点Ｐ１、Ｐ２の画像部位の間の濃度（グレイレベル）差が明瞭に映し出される。例えば乳腺組織４ａの部位は、コントラスト高く映し出される。乳腺組織４ａの周囲の乳房４の部位は、乳腺組織４ａのコントラストよりも低いコントラストで映し出される。
【００４９】
このように２点Ｐ１、Ｐ２の画像部位の間のグレイレベルを映し出したＸ線画像データを表示している状態で、モニタ表示画面２ａ上で、特定の画像部位、例えば癌等の病巣Ｇの画像部位が指示されると、表示制御部６は、癌等の病巣Ｇ等の特定の画像部位の周囲に合せたウィンドウ幅（ＷＷ）、ウィンドウレベル（ＷＬ）で特定の画像部位のＸ線画像データをモニタ表示画面２ａに表示する。
【００５０】
このように上記第４の実施の形態によれば、モニタ表示画面２ａ上のＸ線画像上において、例えば２点Ｐ１、Ｐ２の画像部位が選択されると、これら２点Ｐ１、Ｐ２の画像部位の濃度に合せた濃度範囲でウィンドウ処理を行ってそのＸ線画像データをモニタ表示画面２ａに表示する。これにより、上記第１の実施の形態の効果に加えて、２点Ｐ１、Ｐ２の画像部位の間のグレイレベルを映し出したＸ線画像データを表示できる。例えば、乳腺組織４ａの部位をその周囲の部位よりもコントラスト高く映し出すことができる。癌等の病巣Ｇは、乳腺組織４ａに発症することが多いので、乳房４に発症する癌等の診断に適している。
【００５１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
例えば、表示制御部６は、画像拡大指示部材１０をモニタ表示画面２ａに近づけるに従ってＸ線画像データの拡大率を小さくし、画像拡大指示部材１０をモニタ表示画面２ａから遠ざけるに従ってＸ線画像データの拡大率を大きく可変しているが、これとは反対に、画像拡大指示部材１０をモニタ表示画面２ａに近づけるに従ってＸ線画像データの拡大率を大きくし、画像拡大指示部材１０をモニタ表示画面２ａから遠ざけるに従ってＸ線画像データの拡大率を小さく可変してもよい。
【００５２】
サイクリック表示モードに設定中、表示制御部６は、画像拡大指示部材１０をモニタ表示画面２ａから遠ざけると、被検体４の後側Ｂから正面Ｆ側に向かう方向で各断層像データＤｎ、…、Ｄ２、Ｄ１をサイクリック表示し、画像拡大指示部材１０をモニタ表示画面２ａに近付けると、被検体４の正面Ｆ側から後側Ｂに向かう方向で各断層像データＤ１、Ｄ２、…、Ｄｎをサイクリック表示しているが、これとは反対に、画像拡大指示部材１０をモニタ表示画面２ａから遠ざけると、被検体４の正面Ｆ側から後側Ｂに向かう方向で各断層像データＤ１、Ｄ２、…、Ｄｎをサイクリック表示し、画像拡大指示部材１０をモニタ表示画面２ａに近付けると、被検体４の後側Ｂから正面Ｆ側に向かう方向で各断層像データＤｎ、…、Ｄ２、Ｄ１をサイクリック表示してもよい。
【００５３】
Ｘ線画像データのグレイレベルが大きい部分を表示する第１の選択ボタン３１と、Ｘ線画像データのグレイレベルが小さい部分を表示する第２の選択ボタン３２と、Ｘ線画像データの全体が見られるように表示する第３の選択ボタン３３とを設けているが、他のコントラストとなる選択ボタンを設けてもよい。  
２点Ｐ１、Ｐ２の画像部位の濃度に合せた濃度範囲でＸ線画像データを表示しているが、複数点の画像部位の濃度に合せた濃度範囲でＸ線画像データを表示することも可能である。  
画像拡大指示部材１０は、環状の枠１０ａを医師等のオペレータの使用し易い大きさに形成したり、又環状に限らず他の形状に形成してもよい。又、画像拡大指示部材１０は、実際のルーペの重さと同一重さに形成すれば、実際のルーペを使用しているのと同様に取り扱える。
【図面の簡単な説明】
【００５４】
【図１】本発明に係る画像表示装置の第１の実施の形態を示すブロック構成図。
【図２】同装置における画像拡大指示部材とモニタ表示画面との対峙間隔に応じた画像の拡大率の可変を示す図。
【図３】本発明に係る画像表示装置の第２の実施の形態を示すブロック構成図。
【図４】同装置における複数の断層像データの模式図。
【図５】本発明に係る画像表示装置の第３の実施の形態を示すブロック構成図。
【図６】同装置における中間（全体）のコントラストで表示されているＸ線画像データの模式図。
【図７】同装置におけるグレイレベルが小さい部分を表示しているＸ線画像データの一例の模式図。
【図８】同装置におけるグレイレベルが大きい部分を表示しているＸ線画像データの一例の模式図。
【図９】本発明に係る画像表示装置の第４の実施の形態を示すブロック構成図。
【図１０】同装置におけるモニタ表示画面上で選択された２点を示す模式図。
【図１１】同装置において２点の画像部位の濃度に合せた濃度範囲でウィンドウ処理されたＸ線画像データの模式図。
【符号の説明】
【００５５】
１：装置処理本体、２：モニタ装置、２ａ：モニタ表示画面、３：乳房Ｘ線診断装置、４：被検体、５：主制御部、６：表示制御部、７：位置算出部、８：画像メモリ、９：通信回線、１０：画像拡大指示部材、１０ａ：環状の枠、１０ｂ：把持部、１１−１〜１１−４：位置センサ、２０：乳房Ｘ線診断装置、２１：拡大率変更モード指示スイッチ、２２：サイクリック表示モード指示スイッチ、２３：モード判定部、３０：ウィンドウ選択部、３１：第１の選択ボタン、３２：第２の選択ボタン、３３：第３の選択ボタン、４０：画像選択部、４１：マウス。
【図１】
2008043588.tif 000003
【図２】
2008043588.tif 000004
【図３】
2008043588.tif 000005
【図４】
2008043588.tif 000006
【図５】
2008043588.tif 000007
【図６】
2008043588.tif 000008
【図７】
2008043588.tif 000009
【図８】
2008043588.tif 000010
【図９】
2008043588.tif 000011
【図１０】
2008043588.tif 000012
【図１１】
2008043588.tif 000013